(57)【特許請求の範囲】
【請求項１】
浴槽内に設置された入浴者の心電信号を検出する電極と、前記電極によって検出された心電信号に基づいて、入浴者の心電情報を作成する心電情報作成装置と、前記心電情報作成装置によって作成された心電情報を報知する報知装置とを備えた心電情報報知システムにおいて、
人間の心電信号に相当する擬似心電信号を出力する擬似心電信号出力手段を備え、
前記擬似心電信号出力手段は、マイクロコンピュータと、このマイクロコンピュータから出力される基本信号に基づいて、擬似心電信号を生成する擬似心電信号生成回路と、この擬似心電信号生成回路から出力される擬似心電信号を、正規の心電信号と同等の信号レベルまで減衰させる減衰回路とを有し、
前記擬似心電信号出力手段から出力される擬似心電信号は、コネクタを介して、前記擬似心電信号出力手段に着脱自在に接続される、先端に信号出力端子を有する信号線に伝送されるようになっており、
前記コネクタは、前記信号線が接続される端子と、前記マイクロコンピュータのグランドに接続された端子と、前記マイクロコンピュータに接続された端子とを有し、前記信号線が接続されない状態では、前記マイクロコンピュータのグランドに接続された端子と前記マイクロコンピュータに接続された端子とが短絡された状態となっており、前記信号線が接続された状態では、前記マイクロコンピュータのグランドに接続された端子と前記マイクロコンピュータに接続された端子とがそれぞれ開放されるようになっており、
前記マイクロコンピュータは、入力される電圧レベルに基づいて、前記信号線が前記コネクタに接続されているか否かを識別し、前記信号線がコネクタに接続された時点で、擬似心電信号の出力要求がなされたと判断するようになっていることを特徴とする心電情報報知システム。
【請求項２】
前記擬似心電信号出力手段は、人間の心電信号と等価な信号データを記憶する記憶部を有し、
前記記憶部から読み出した前記信号データに基づいて、前記擬似心電信号を生成するようになっている請求項１に記載の心電情報報知システム。
【請求項３】
前記心電情報作成装置が、前記擬似心電信号出力手段を有している請求項１または２に記載の心電情報報知システム。
【請求項４】
前記心電情報作成装置は、前記電極によって検知された入浴者の心電信号に基づいて、所定の信号処理を行う制御手段を有し、
前記擬似心電信号出力手段の前記マイクロコンピュータが、前記制御手段によって構成されている請求項３に記載の心電情報報知システム。
【発明の詳細な説明】
【０００１】
【発明の属する技術分野】
この発明は、浴槽に浸かっている入浴者の心電情報を入浴者等に報知するための心電情報報知システムに関する。
【０００２】
【従来の技術】
例えば、特開平５−９５９２１号公報に開示されているように、浴槽に浸かっている入浴者の心拍数等の心電情報を入浴者等に報知する心電情報報知システムが従来から提案されている。
【０００３】
この心電情報報知システムは、図６に示すように、浴槽Ｂに浸かっている入浴者の心電信号を検知するために浴槽Ｂ内に設置される電極６１と、この電極６１によって検出された入浴者の心電信号に基づいて、心拍数等の心電情報を作成するＣＰＵ等からなる心電情報作成部やこの心電情報作成部によって作成された心電情報を表示する表示部等を備えた、浴室内に設置される本体部６２とから構成されており、浴槽Ｂに浸かった入浴者が、本体部６２のスイッチをＯＮすることによって、心拍数等の入浴者自身の心電情報が本体部６２の表示部に連続的に表示されるようになっている。従って、入浴者は、本体部６２に表示される心電情報に基づいて、自己の心臓の状態変化を把握することができ、心臓の負担が大きくなる前に浴槽から出ることができる。
【０００４】
【発明が解決しようとする課題】
ところで、上述したような心電情報報知システム６０を新たに設置した場合、電極６１と本体部６２とが適正に接続されているか否かの接続確認、電極６１を本体部６２に接続する信号線等に断線が生じていないかどうかの断線確認、さらには電極６１によって検出される心電信号に基づいて算出される心拍数等の心電情報が本体部６２の表示部に適正に表示されるか否かの表示確認等を行う必要があるが、こういったシステムの動作確認を行おうとすると、お湯を張った浴槽Ｂ内に作業者等が実際に浸からなければならず、システムの動作確認作業が煩雑になるといった問題がある。
【０００５】
そこで、この発明の課題は、作業者等が実際に浴槽内に浸からなくても、簡単に動作確認を行うことができる心電情報報知システムを提供することにある。
【０００６】
【課題を解決するための手段及びその効果】
上記の課題を解決するため、請求項１にかかる発明は、浴槽内に設置された入浴者の心電信号を検出する電極と、前記電極によって検出された心電信号に基づいて、入浴者の心電情報を作成する心電情報作成装置と、前記心電情報作成装置によって作成された心電情報を報知する報知装置とを備えた心電情報報知システムにおいて、人間の心電信号に相当する擬似心電信号を出力する擬似心電信号出力手段を備え、前記擬似心電信号出力手段は、マイクロコンピュータと、このマイクロコンピュータから出力される基本信号に基づいて、擬似心電信号を生成する擬似心電信号生成回路と、この擬似心電信号生成回路から出力される擬似心電信号を、正規の心電信号と同等の信号レベルまで減衰させる減衰回路とを有し、前記擬似心電信号出力手段から出力される擬似心電信号は、コネクタを介して、前記擬似心電信号出力手段に着脱自在に接続される、先端に信号出力端子を有する信号線に伝送されるようになっており、前記コネクタは、前記信号線が接続される端子と、前記マイクロコンピュータのグランドに接続された端子と、前記マイクロコンピュータに接続された端子とを有し、前記信号線が接続されない状態では、前記マイクロコンピュータのグランドに接続された端子と前記マイクロコンピュータに接続された端子とが短絡された状態となっており、前記信号線が接続された状態では、前記マイクロコンピュータのグランドに接続された端子と前記マイクロコンピュータに接続された端子とがそれぞれ開放されるようになっており、前記マイクロコンピュータは、入力される電圧レベルに基づいて、前記信号線が前記コネクタに接続されているか否かを識別し、前記信号線がコネクタに接続された時点で、擬似心電信号の出力要求がなされたと判断するようになっていることを特徴とする心電情報報知システムを提供するものである。
【０００７】
以上のように、この心電情報報知システムでは、人間の心電信号に相当する擬似心電信号を出力する擬似心電信号出力手段を備えており、しかも、その擬似心電信号出力手段を構成しているマイクロコンピュータが、入力される電圧レベルに基づいて、信号線がコネクタに接続されているか否かを識別し、信号線がコネクタに接続された時点で、擬似心電信号の出力要求がなされたと判断するようになっているので、システムの動作確認を行う場合は、コネクタを介して、擬似心電信号出力手段に信号線等を接続し、この信号線の端部を湯水を張った浴槽に設置された電極の近傍に保持することによって、浴槽内に擬似的に心電信号を発生させることができるので、従来の心電情報報知システムのように、作業者等が実際に浴槽に浸からなくても、簡単かつ確実にシステムの動作確認を行うことができる。
【０００８】
特に、請求項２にかかる発明の心電情報報知システムのように、前記擬似心電信号出力手段が、人間の心電信号と等価な信号データを記憶する記憶部を有し、前記記憶部から読み出した前記信号データに基づいて、前記擬似心電信号を生成するようになっているものにあっては、人間の心電信号と同様の擬似心電信号を発生させることができるので、実際に即した状態でシステムの動作確認を行うことができるという効果が得られる。
【０００９】
また、請求項３にかかる発明の心電情報報知システムのように、前記心電情報作成装置が、前記擬似心電信号出力手段を有しているものにあっては、システムを構成しているユニット数が少なくなるので、システム全体をコンパクトにすることができるという効果が得られる。
【００１０】
その場合は、請求項４にかかる発明の心電情報報知システムのように、前記擬似心電信号出力手段の前記マイクロコンピュータを、前記心電情報作成装置に本来設けられている、前記電極によって検知された入浴者の心電信号に基づいて所定の信号処理を行う制御手段によって構成すると、心電情報作成装置を構成している部品の共有化を図ることができるので、擬似心電信号出力手段を有している心電情報作成装置全体がコンパクトになり、同等の機能を低コストで実現することができるという効果が得られる。
【００１２】
【発明の実施の形態】
以下、実施の形態について図面を参照して説明する。図１に示すように、この心電情報報知システム１は、浴室Ｒ内に設置された浴槽Ｂに対する自動注湯機能や追焚機能の他、シャワーやカラン等への給湯機能を備えた風呂追焚機能付給湯器（以下、風呂給湯器という）１０と、この風呂給湯器１０を操作するために浴室Ｒ及び台所に設置される浴室用操作リモコン２０ａ及び台所用操作リモコン２０ｂと、浴槽Ｂに浸かっている入浴者の心電信号を検出するために浴槽Ｂ内に設置される心拍検出電極３１、３２、３３と、これらの心拍検出電極３１、３２、３３がそれぞれ接続され、心拍検出電極３１、３２、３３によって検出された心電信号に基づいて、１分間当りの心拍数を算出する心拍数演算ユニット４０とを備えており、心拍数演算ユニット４０と浴室用操作リモコン２０ａ及び台所用操作リモコン２０ｂとが、風呂給湯器１０の端子台を介して、直流電圧に信号を重畳して伝送する２芯線によって接続されている。
【００１３】
前記風呂給湯器１０、前記浴室用操作リモコン２０ａ及び台所用操作リモコン２０ｂには、通信手段であるシリアルインターフェースを介して相互に通信可能なコントローラ１１、２１ａ、２１ｂがそれぞれ搭載されており、これらのコントローラ１１、２１ａ、２１ｂが相互に連携をとりながら、風呂給湯器１０の運転動作を統括的に制御している。
【００１４】
また、浴室用操作リモコン２０ａ及び台所用操作リモコン２０ｂは、風呂設定温度、給湯設定温度等の風呂給湯器関連情報や入浴者の心拍数等の心電情報等を表示する表示部２２ａ、２２ｂをそれぞれ備えており、これらの表示部２２ａ、２２ｂには、風呂給湯器関連情報または心電情報のいずれを表示させるのかを切り替える（選択する）ための報知モード切替（選択）用のメニュースイッチ（図示せず）が表示されるようになっている。
【００１５】
一対の心拍検出電極３１、３２は、浴槽Ｂに浸かった入浴者の心臓を挟むように、浴槽Ｂにおける一端側の左右両側壁に、残りの心拍検出電極（中性点）３３は、浴槽Ｂに浸かった入浴者の足元側（他端側）における浴槽Ｂの側壁にそれぞれ設置されており、各心拍検出電極３１、３２、３３は、浴槽Ｂに貯留された湯水を介して入浴者の心電信号が検出されるように、所定の高さ位置に設置されている。
【００１６】
前記心拍数演算ユニット４０は、通信手段であるシリアルインターフェースを介して、浴室用操作リモコン２０ａや台所用操作リモコン２０ｂに通信可能に接続されており、この心拍数演算ユニット４０によって、所定の時間間隔（例えば、２秒間隔）毎に算出された、１分間当りの心拍数が、同様の時間間隔で浴室用操作リモコン２０ａや台所用操作リモコン２０ｂのコントローラ２１ａ、２１ｂに送信されるようになっている。
【００１７】
この心拍数演算ユニット４０は、図２に示すように、心拍検出電極３１、３２、３３がそれぞれ接続され、心拍検出電極３１、３２、３３によって検出された心電信号から周波数の高いインパルスノイズを除去する第１フィルタ回路４１と、この第１フィルタ回路４１によってノイズが除去された心電信号を増幅する差動増幅回路４２と、この差動増幅回路４２によって増幅された心電信号から電源周波数以上のノイズを除去する第２フィルタ回路４３と、この第２フィルタ回路４３によってノイズが除去された心電信号を再度増幅する増幅回路４４と、この増幅回路４４によって増幅された心電信号が入力されるマイクロコンピュータ４５とを備えており、このマイクロコンピュータ４５が、入力された心電信号に基づいて１分間当りの心拍数を算出し、この心拍数をシリアルインターフェース（Ｉ／Ｆ）４６を介して浴室用操作リモコン２０ａや台所用操作リモコン２０ｂのコントローラ２１ａ、２１ｂに送信するようになっている。
【００１８】
また、この心拍数演算ユニット４０には、同図に示すように、人間の心電信号に相当する擬似心電信号を出力する擬似心電信号出力手段４７が設けられており、この擬似心電信号出力手段４７から出力される擬似心電信号は、コネクタＣを介して、擬似心電信号出力手段４７に着脱自在に接続される、先端に信号出力端子５１ａ、５２ａを有する信号線５１、５２に伝送されるようになっている。
【００１９】
前記擬似心電信号出力手段４７は、前記マイクロコンピュータ４５と、このマイクロコンピュータ４５から出力される基本信号に基づいて、基準レベルに対して正側及び負側にそれぞれ出力される正側擬似心電信号及び負側擬似心電信号を生成する擬似心電信号生成回路４８と、この擬似心電信号生成回路４８から出力される正側擬似心電信号及び負側擬似心電信号を、正規の心電信号と同等の信号レベルまで減衰させる減衰回路４９とから構成されており、マイクロコンピュータ４５には、コネクタＣから擬似心電信号の出力要求信号が入力されるようになっている。
【００２０】
即ち、コネクタＣは、信号線５１、５２が接続される端子以外にマイクロコンピュータ４５のグランド（０Ｖ）に接続された端子と、マイクロコンピュータ４５に接続された端子とを備えており、信号線５１、５２が接続されない状態では、マイクロコンピュータ４５のグランドに接続された端子とマイクロコンピュータ４５に接続された端子とが短絡された状態となっており、信号線５１、５２が接続された状態では、マイクロコンピュータ４５のグランドに接続された端子とマイクロコンピュータ４５に接続された端子とがそれぞれ開放されるようになっているので、マイクロコンピュータ４５は、入力される電圧レベルがＬｏｗからＨｉｇｈに変化した時点、即ち、信号線５１、５２がコネクタＣを介して接続された時点で、擬似心電信号の出力要求がなされたと判断することになる。
【００２１】
前記マイクロコンピュータ４５は、図３（ａ）に示すように、Ｑ波ＷＱ、Ｒ波ＷＲ及びＳ波ＷＳといった特徴的な心電波形を有する人間の心電信号と等価な単位信号データを記憶する記憶部を有しており、擬似心電信号の出力要求信号が入力されると、この記憶部から読み出した単位信号データを、０．５秒毎に繰り返して出力することで、擬似心電信号生成回路４８に基本信号が入力され、擬似心電信号生成回路４８は、この基本信号に基づいて、同図（ｂ）、（ｃ）に示すような正側擬似心電信号ＰＨＳ及び負側擬似心電信号ＭＨＳを生成するようになっている。
【００２２】
以上のように構成された心電情報報知システム１を設置した後、動作確認を行う場合は、浴槽Ｂに湯水を張った状態で、図４に示すように、浴槽Ｂの外側に固定設置された心拍数演算ユニット４０のコネクタＣに信号線５１、５２を接続し、各信号線５１、５２の信号出力端子５１ａ、５２ａをそれぞれ心拍検出電極３１、３２の近傍に設置すると、人間が浴槽Ｂに浸かった場合と同様に、それぞれの信号出力端子５１ａ、５２ａから正側擬似心電信号ＰＨＳと負側擬似心電信号ＭＨＳとが出力され、これを心拍検出電極３１、３２、３３が検知することになるので、従来の心電情報報知システムのように、作業者等が実際に浴槽に浸からなくても、システムの動作確認を簡単かつ確実に行うことができる。
【００２３】
また、この心電情報報知システム１では、上述したように、マイクロコンピュータ４５から出力される、特徴的な心電波形を有する人間の心電信号と等価な単位信号データに基づいて、擬似心電信号が生成されているので、実際に即した状態でシステムの動作確認を行うことができる。
【００２４】
また、この心電情報報知システム１では、上述したように、擬似心電信号出力手段４７が、心拍数演算ユニット４０に組み込まれており、しかも、入浴者の心拍数等を算出するマイクロコンピュータ４５が、擬似心電信号を生成するための基本信号を出力するようになっているので、システムを構成しているユニット数が少なくなると共に、心拍数演算ユニット４０自体がコンパクトになり、擬似心電信号出力手段を個別に設けた場合に比べて、同等の機能を低コストで実現することができる。
【００２５】
なお、上述した実施形態では、マイクロコンピュータ４５が擬似心電信号を生成するための基本信号を出力するようになっているが、これに限定されるものではなく、マイクロコンピュータ４５に、正側擬似心電信号及び負側擬似心電信号を直接出力させることも可能であり、その場合は、図５に示す心拍数演算ユニット４０ａのように、擬似心電信号生成回路を設ける必要がないので、擬似心電信号出力手段４７ａの構成をさらに簡素化することができるという効果が得られる。
【００２６】
また、上述した各実施形態では、心拍数演算ユニット４０、４０ａに本来搭載されているマイクロコンピュータ４５を、擬似心電信号出力手段４７、４７ａの構成要素とし、マイクロコンピュータ４５に、擬似心電信号を生成するための基本信号や正側擬似心電信号及び負側擬似心電信号を出力させるようにしているが、これに限定されるものではなく、心拍数演算ユニット内に擬似心電信号出力手段を独立して設けたり、擬似心電信号出力ユニットを心拍数演算ユニットとは個別に設けることも可能である。
【００２７】
また、上述した実施形態では、特徴的な心電波形を有する人間の心電信号と等価な単位信号データに基づいて生成された擬似心電信号を出力するようになっているが、これに限定されるものではなく、単なるパルス信号を一定の時間間隔で出力することも可能である。
【００２８】
また、上述した実施形態では、風呂給湯器１０の操作リモコンの表示部に心電情報を表示するようにしているが、これに限定されるものではなく、入浴者の心電信号に基づいて作成された心電情報を、専用の報知装置によって報知する場合についても適用することができることはいうまでもない。
【図面の簡単な説明】
【図１】この発明にかかる心電情報報知システムの一実施形態を示す概略構成図である。
【図２】同上の心電情報報知システムを構成している心拍数演算ユニットを示すブロック図である。
【図３】（ａ）は同上の心拍数演算ユニットを構成しているマイクロコンピュータの記憶部に記憶されている単位信号データを示す図、（ｂ）は同上の単位信号データに基づいて作成された正側擬似心電信号を示す図、（ｃ）は同上の単位信号データに基づいて作成された負側擬似心電信号を示す図である。
【図４】同上の心電情報報知システムの動作確認作業を説明するための説明図である。
【図５】他の実施形態である心電情報報知システムを構成している心拍数演算ユニットを示すブロック図である。
【図６】従来の心電情報報知システムを示す概略構成図である。
【符号の説明】
１  心電情報報知システム
１０  風呂追焚機能付給湯器
１１  コントローラ
２０ａ  浴室用操作リモコン（報知装置）
２０ｂ  台所用操作リモコン（報知装置）
２１ａ、２１ｂ  コントローラ
２２ａ、２２ｂ  表示部
３１、３２、３３  心拍検出電極（電極）
４０  心拍数演算ユニット（心電情報作成装置）
４５  マイクロコンピュータ（制御手段）
４７、４７ａ  擬似心電信号出力手段
４８  擬似心電信号生成回路
４９  減衰回路
５１、５２  信号線
５１ａ、５２ａ  信号出力端子
Ｃ  コネクタ
Ｂ  浴槽
Ｒ  浴室
【図１】
0003871591.tif 000002
【図２】
0003871591.tif 000003
【図３】
0003871591.tif 000004
【図４】
0003871591.tif 000005
【図５】
0003871591.tif 000006
【図６】
0003871591.tif 000007